(57)【要約】【課題】簡素な構成でワイヤハーネスの経路規制や保護を可能としつつ、汎用性も向上された、新規な構造のプロテクタ付ワイヤハーネスを提供すること。【解決手段】プロテクタ１４が、ワイヤハーネス１２の延出方向に延びる第一壁部１８を有し、少なくともワイヤハーネス１２の第一の径方向で第一壁部１８に対向する側と、第一の径方向と直交する第二の径方向の少なくとも一方の側とで、ワイヤハーネス１２が外部に露呈されている一方、第一壁部１８には、幅方向一方の端部２４から他方の端部２６に向かって延出するスライド支持部２８が設けられ、ワイヤハーネス１２には結束部材１６が取り付けられており、結束部材１６にはスライド部５０が設けられており、第一壁部１８のスライド支持部２８に対してワイヤハーネス１２の結束部材１６のスライド部５０が係合されることにより、ワイヤハーネス１２が第一壁部１８によって保持されるようにした。【選択図】図１
2017135813.tif 000002
【特許請求の範囲】
【請求項１】
ワイヤハーネスに対してプロテクタが取り付けられてなるプロテクタ付ワイヤハーネスであって、
前記プロテクタが、前記ワイヤハーネスの延出方向に延びる長手平板状の第一壁部を有し、少なくとも前記ワイヤハーネスの第一の径方向で前記第一壁部に対向する側と、該第一の径方向と直交する第二の径方向の少なくとも一方の側とで、前記ワイヤハーネスが外部に露呈された構造とされている一方、
前記プロテクタの前記第一壁部には、幅方向一方の端部から幅方向他方の端部に向かって延出するスライド支持部が設けられていると共に、
前記ワイヤハーネスには、前記ワイヤハーネスを構成する複数の電線を結束する結束部材が取り付けられており、該結束部材には前記スライド支持部にスライド自在に係合するスライド部が設けられており、
前記第一壁部の前記スライド支持部に対して前記ワイヤハーネスの前記結束部材に設けられた前記スライド部が係合されることにより、前記ワイヤハーネスが前記第一壁部によって保持されている
ことを特徴とするプロテクタ付ワイヤハーネス。
【請求項２】
前記プロテクタの前記第一壁部には、長手方向で離隔した複数箇所に前記スライド支持部が設けられており、前記複数のスライド支持部の長さ寸法が相互に異ならされている一方、前記複数のスライド支持部に対して、複数の前記ワイヤハーネスのそれぞれの前記結束部材に設けられた前記スライド部が係合されており、前記複数のワイヤハーネスが前記第一壁部の幅方向で多段に配設保持されている請求項１に記載のプロテクタ付ワイヤハーネス。
【請求項３】
前記第一壁部の前記スライド支持部が、前記第一壁部の前記幅方向一方の端部に開口する切欠状の矩形溝部を含んで構成されている一方、
前記結束部材が、ヘッド部と、該ヘッド部の一方の端部より延出するバンド部を含む結束バンドによって構成されており、前記ヘッド部には、前記バンド部の延出方向に貫通するバンド挿通孔が設けられている一方、該バンド挿通孔の対向する側壁には、外面および前記延出方向に向かって開口する一対の溝状の前記スライド部が設けられており、溝状の前記スライド部が、前記矩形溝部の対向縁部にスライド自在に嵌合されるようになっている請求項１または２に記載のプロテクタ付ワイヤハーネス。
【請求項４】
前記第一壁部には、前記矩形溝部の底縁部に連接して前記第一壁部の前記幅方向他方の端部に延びるバンド部収容凹溝が設けられている請求項３に記載のプロテクタ付ワイヤハーネス。
【請求項５】
前記第一壁部の前記幅方向他方の端部から、前記長手方向に直交する方向に延出する第二壁部が設けられている請求項１〜４の何れか１項に記載のプロテクタ付ワイヤハーネス。
【請求項６】
前記第二壁部が前記第一壁部のない領域まで延長する延長部を含んでおり、前記第二壁部の前記延長部には、前記ワイヤハーネスの他の部位に設けられた前記結束部材のスライド部が組み付けられる前記スライド支持部が設けられている請求項５に記載のプロテクタ付ワイヤハーネス。
【発明の詳細な説明】
【技術分野】
【０００１】
本発明は、ワイヤハーネスに対してプロテクタが取り付けられてなるプロテクタ付ワイヤハーネスに関するものである。
【背景技術】
【０００２】
従来から、自動車等の車両に配索されるワイヤハーネスには、ワイヤハーネスの経路を規制してワイヤハーネスの他部材との干渉等を防止する目的から、プロテクタが取り付けられる場合がある。このようなプロテクタ付ワイヤハーネスは、例えば、特開２０１４−９０５５２号公報（特許文献１）の図３に示されているように、ワイヤハーネスを挿通するプロテクタ本体と、プロテクタ本体の開口部を覆蓋する蓋部と、を備えて構成されている。
【０００３】
ところで、ワイヤハーネスに取り付けられたプロテクタは、特許文献１に記載のとおりプロテクタ本体と蓋部を備えて構成されており、ワイヤハーネスを四方から保護するようになっている。しかしながら、必ずしもワイヤハーネスの全長に亘って四方からワイヤハーネスを保護する必要はなく、干渉する他部材がワイヤハーネスの近傍にない領域では、プロテクタによる保護が過剰となり易く、材料費や製造コストの無駄が発生していた。
【０００４】
また、プロテクタは、車両毎や経路毎に特化された形状で構成されていることから、プロテクタ内に余分な収容空間がない場合も多く、例えば、径寸法の異なるワイヤハーネスを収容することが困難であったり、オプション的に後付けした機器用のワイヤハーネスを追加で収容したい場合に、対応できず汎用性が低いという問題も内在していた。
【先行技術文献】
【特許文献】
【０００５】
【特許文献１】特開２０１４−９０５５２号公報
【発明の概要】
【発明が解決しようとする課題】
【０００６】
本発明は、上述の事情を背景に為されたものであって、その解決課題は、簡素な構成でワイヤハーネスの経路規制や保護を可能としつつ、汎用性も向上された、新規な構造のプロテクタ付ワイヤハーネスを提供することにある。
【課題を解決するための手段】
【０００７】
本発明の第一の態様は、ワイヤハーネスに対してプロテクタが取り付けられてなるプロテクタ付ワイヤハーネスであって、前記プロテクタが、前記ワイヤハーネスの延出方向に延びる長手平板状の第一壁部を有し、少なくとも前記ワイヤハーネスの第一の径方向で前記第一壁部に対向する側と、該第一の径方向と直交する第二の径方向の少なくとも一方の側とで、前記ワイヤハーネスが外部に露呈された構造とされている一方、前記プロテクタの前記第一壁部には、幅方向一方の端部から幅方向他方の端部に向かって延出するスライド支持部が設けられていると共に、前記ワイヤハーネスには、前記ワイヤハーネスを構成する複数の電線を結束する結束部材が取り付けられており、該結束部材には前記スライド支持部にスライド自在に係合するスライド部が設けられており、前記第一壁部の前記スライド支持部に対して前記ワイヤハーネスの前記結束部材に設けられた前記スライド部が係合されることにより、前記ワイヤハーネスが前記第一壁部によって保持されていることを特徴とする。
【０００８】
本態様によれば、ワイヤハーネスに取り付けられるプロテクタが、ワイヤハーネスの延出方向に延びる第一壁部を有し、ワイヤハーネスを間に挟んで第一壁部と対向する側（第一の径方向で第一壁部と対向する側）と、第一の径方向に直交するワイヤハーネスの第二の径方向の少なくとも一方の側で、ワイヤハーネスが露呈されている構造とされている。したがって、従来構造の如きワイヤハーネスの三方向や四方向からワイヤハーネスを覆って経路規制を行うプロテクタに比して、必要最小限の構成でワイヤハーネスの経路規制や保護を行うプロテクタを提供することができ、材料費の削減や低コスト化を図ることができる。
【０００９】
しかも、プロテクタは、少なくともワイヤハーネスの第一の径方向の一方側と第二の径方向の少なくとも一方側で露呈されていることから、径寸法の異なるワイヤハーネスであっても問題なく保持することができ、汎用性の向上を図ることができる。
【００１０】
加えて、第一壁部のスライド支持部に対して、複数のワイヤハーネスの結束部材のスライド部を順次スライド挿入することにより、プロテクタの第一壁部の幅方向においてワイヤハーネスを多段に重ね合せるように配索保持することもできる。それゆえ、オプション的に後付けした機器用のワイヤハーネスを追加で収容したい場合にも、柔軟に対応することが可能となる。しかも、オプション機器用のワイヤハーネスに取り付けられた結束部材のスライド部を、スライド支持部の開口から挿し入れてスライド支持部に係合させるだけで取り付けられることから、従来の蓋付プロテクタの場合のようにプロテクタの蓋を開ける必要がなく工数を削減できる。また、プロテクタの第一壁部に形成されたスライド支持部に対して結束部材に設けられたスライド部が係合されることにより、ワイヤハーネスが第一壁部によって保持されている。この場合、プロテクタと結束部材との固定に際し、従来のようなクランプを用いる必要が無いことから、ワイヤハーネスが保持されたプロテクタの第一壁部の外側面から外方に向かって大きく突出する部分が生じることを抑制できる。
【００１１】
なお、プロテクタに対するワイヤハーネスの取り付けを、ワイヤハーネスを構成する複数の電線の結束用に用いた結束バンド等の結束部材を用いて行っている。このような結束部材の取り付け位置は、ワイヤハーネスの端末に設けられたコネクタからの長さ位置などをワイヤハーネスの結束用図板上で正確に位置合わせされたものである。それゆえ、プロテクタの所定位置にスライド支持部を設けるだけで、ワイヤハーネスに対するプロテクタの位置決めや、プロテクタから突出するワイヤハーネスの寸法の保証等を行うことができ、製造工程の簡素化やプロテクタ付ワイヤハーネスの寸法精度の向上等を有利に図ることができる。
【００１２】
本発明の第二の態様は、前記第一の態様に記載のものにおいて、前記プロテクタの前記第一壁部には、長手方向で離隔した複数箇所に前記スライド支持部が設けられており、前記複数のスライド支持部の長さ寸法が相互に異ならされている一方、前記複数のスライド支持部に対して、複数の前記ワイヤハーネスのそれぞれの前記結束部材に設けられた前記スライド部が係合されており、前記複数のワイヤハーネスが前記第一壁部の幅方向で多段に配設保持されているものである。
【００１３】
本態様によれば、プロテクタの第一壁部には、複数のスライド支持部が長手方向の異なる位置に異なる長さ寸法で設けられている。それゆえ、例えば、長さ寸法の大きいスライド支持部に１つのワイヤハーネスに取り付けられた結束部材のスライド部を係合させる一方、長さ寸法の小さいスライド支持部に他のワイヤハーネスに取り付けられた結束部材のスライド部を係合させることにより、複数のワイヤハーネスを第一壁部の幅方向で多段に配設保持することができ、一層の汎用性の向上を図ることができる。しかも、各ワイヤハーネスの結束部材のスライド部が、それぞれプロテクタの第一壁部に格別に設けられたスライド支持部に組み付けられていることから、スライド支持部の耐久性はスライド支持部による各ワイヤハーネスのスライド部の保持安定性、ひいてはプロテクタによる複数のワイヤハーネスの保持安定性を有利に確保することができる。
【００１４】
本発明の第三の態様は、前記第一または第二の態様に記載のものにおいて、前記第一壁部の前記スライド支持部が、前記第一壁部の前記幅方向一方の端部に開口する切欠状の矩形溝部を含んで構成されている一方、前記結束部材が、ヘッド部と、該ヘッド部の一方の端部より延出するバンド部を含む結束バンドによって構成されており、前記ヘッド部には、前記バンド部の延出方向に貫通するバンド挿通孔が設けられている一方、該バンド挿通孔の対向する側壁には、外面および前記延出方向に向かって開口する一対の溝状の前記スライド部が設けられており、溝状の前記スライド部が、前記矩形溝部の対向縁部にスライド自在に嵌合されるようになっているものである。
【００１５】
本態様によれば、汎用部品である結束バンドのヘッド部に一対のスライド部を設けると共にプロテクタの第一壁部に切欠状の矩形溝部を設ける簡単な構造によって、ワイヤハーネスの結束部材側のスライド部とプロテクタ側のスライド支持部を容易に実現できることから、製造が容易で製造コストの削減を有利に図ることができる。
【００１６】
また、スライド支持部が、第一壁部の幅方向一方の端部に開口する切欠状であることから、第一壁部の板厚方向の両面側に、ワイヤハーネスを保持することも可能となり、配索自由度の向上やさらなる汎用性の向上を図ることができる。
【００１７】
本発明の第四の態様は、前記第三の態様に記載のものにおいて、前記第一壁部には、前記矩形溝部の底縁部に連接して前記第一壁部の前記幅方向他方の端部に延びるバンド部収容凹溝が設けられているものである。
【００１８】
本態様によれば、矩形溝部の底縁部から他方の端部に向かって延びるバンド部収容凹溝が設けられていることから、ワイヤハーネスに巻き付けられて結束バンドのヘッド部から突出するバンド部の先端部をバンド部収容凹溝に沿って挿入することができる。それゆえ、ヘッド部から突出するバンド部の先端部が第一壁部と干渉して、スライド部にスライド支持部から抜け出す方向に力が加わることを防止して、結束バンドのヘッド部をより一層安定して矩形溝部に収容保持することができる。
【００１９】
本発明の第五の態様は、前記第一乃至第四の何れか１つの態様に記載のものにおいて、前記第一壁部の前記幅方向他方の端部から、前記長手方向に直交する方向に延出する第二壁部が設けられているものである。
【００２０】
本態様によれば、第一壁部の幅方向他方の端部に、長手方向に直交する方向に延出する第二壁部が設けられている。これにより、プロテクタの第一壁部のスライド支持部にワイヤハーネスの結束部材のスライド部をスライド挿入することにより、プロテクタに支持されたワイヤハーネスを、第二壁部により下方から支持したりカバーしたりすることが可能となり、ワイヤハーネスの安定した経路規制や、第一壁部および第二壁部による少なくとも２方向からの保護を実現できる。
【００２１】
本発明の第六の態様は、前記第五の態様に記載のものにおいて、前記第二壁部が前記第一壁部のない領域まで延長する延長部を含んでおり、前記第二壁部の前記延長部には、前記ワイヤハーネスの他の部位に設けられた前記結束部材のスライド部が組み付けられる前記スライド支持部が設けられているものである。
【００２２】
本態様によれば、第二壁部が延長部を有していることから、ワイヤハーネスの経路規制を第二壁部の延長部を利用してより安定して行うことができる。しかも、延長部にもスライド支持部が設けられており、ワイヤハーネスの別の部位に設けられた結束部材のスライド部が組み付けられるようになっていることから、一層安定したワイヤハーネスの経路規制が、第一壁部と第二壁部という少ない壁部から構成されるプロテクタによっても安定して行うことができ、材料削減による低コスト化と、プロテクタ機能の向上の両立を有利に図ることができる。
【発明の効果】
【００２３】
本発明によれば、プロテクタが、ワイヤハーネスの延出方向に延びる第一壁部を有し、ワイヤハーネスを間に挟んで第一壁部と対向する側と、第一の径方向に直交するワイヤハーネスの第二の径方向の少なくとも一方の側で、ワイヤハーネスが露呈されている構造とされている。したがって、従来構造の如きワイヤハーネスの三方向や四方向からワイヤハーネスを覆って経路規制を行うプロテクタに比して、必要最小限の構成でワイヤハーネスの経路規制や保護を行うプロテクタを提供でき、材料費の削減や低コスト化ができる。しかも、プロテクタは、少なくともワイヤハーネスの第一の径方向の一方側と第二の径方向の少なくとも一方側で露呈されていることから、径寸法の異なるワイヤハーネスであっても問題なく保持でき、汎用性を向上できる。加えて、第一壁部のスライド支持部に対して、複数のワイヤハーネスの結束部材のスライド部を順次スライド挿入することにより、ワイヤハーネスを多段に配索保持することもできる。それゆえ、オプション的に後付けした機器用のワイヤハーネスを追加で収容したい場合にも、柔軟に対応できる。しかも、オプション機器用ワイヤハーネスの結束部材のスライド部をスライド支持部に係合させるだけで取り付けられることから、従来の如きプロテクタの開蓋工程が不要とできる。また、プロテクタと結束部材との固定に際し、従来のようなクランプを用いる必要が無いことから、ワイヤハーネスが保持されたプロテクタの第一壁部の外側面から外方に向かって大きく突出する部分が生じることを抑制できる。
【図面の簡単な説明】
【００２４】
【図１】本発明の第一の実施形態としてのプロテクタ付ワイヤハーネスを示す斜視図。
【図２】図１のプロテクタ側から見た斜視図。
【図３】図１に示すプロテクタの斜視図。
【図４】図１に示す結束バンドの斜視図。
【図５】図４に示す結束バンドの巻付前の状態を示す斜視図。
【図６】本発明の第二の実施形態としてのプロテクタ付ワイヤハーネスを示す斜視図。
【図７】図６に示すプロテクタの斜視図。
【図８】本発明の第三の実施形態としてのプロテクタ付ワイヤハーネスを示す斜視図。
【図９】図８に示すプロテクタの斜視図。
【図１０】本発明の第四の実施形態としてのプロテクタ付ワイヤハーネスを示す斜視図（（ａ）通常径のワイヤハーネス１本の場合、（ｂ）（ａ）の２倍の径のワイヤハーネス１本の場合、（ｃ）（ａ）の半分の径のワイヤハーネス２本の場合）。
【図１１】図１０に示すプロテクタの斜視図。
【発明を実施するための形態】
【００２５】
以下、本発明の実施形態について、図面を参照しつつ説明する。
【００２６】
図１〜５に、本発明の第一の実施形態としてのプロテクタ付ワイヤハーネス１０を示す。プロテクタ付ワイヤハーネス１０は、ワイヤハーネス１２の経路規制や保護を行うために用いられるプロテクタ１４が、ワイヤハーネス１２に対して結束部材である結束バンド１６を用いて取り付けられた構造とされている。なお、図１および図４では、理解を容易とするため、ワイヤハーネス１２を仮想線で記載している。また、以下の説明において、上方とは、図１中のｚ軸の正の方向、下方とは、図１中のｚ軸の負の方向を言うものとする。
【００２７】
プロテクタ１４は、図１〜３に示されているように、ワイヤハーネス１２の延出方向に延びる長手平板状の第一壁部１８と、かかる第一壁部１８の長手方向（図１〜３中、ｘ軸方向）の両側の裏面２０に突設されたクリップ部２２とを有して構成されており、例えばポリプロピレン（ＰＰ）、ポリアミド（ＰＡ）等の合成樹脂により射出成形等によって一体形成されている。したがって、プロテクタ１４は、ワイヤハーネス１２の第一の径方向（図１中、ｚ軸方向）で第一壁部１８に対向する側（図１中、ｚ軸の正の方向側）と、第一の径方向と直交する第二の径方向（図１中、ｙ軸方向）の両側で、ワイヤハーネス１２が外部に露呈された構造とされている。
【００２８】
また、プロテクタ１４の第一壁部１８には、幅方向（図１中、ｙ軸方向）一方の端部２４から幅方向他方の端部２６に向かって延出するスライド支持部２８が設けられており、かかるスライド支持部２８は、第一壁部１８の幅方向一方の端部２４に開口する切欠状の矩形溝部３０を含んで構成されている。より詳細には、プロテクタ１４の第一壁部１８には、長手方向で離隔した２箇所にスライド支持部２８ａ，２８ｂが設けられており、かかる２つのスライド支持部２８ａ，２８ｂの長さ寸法：ａ，ｂが相互に異ならされて構成されている。さらに、第一壁部１８には、かかる矩形溝部３０の底縁部に連接して第一壁部１８の幅方向他方の端部２６に向かって延びる平面視で略矩形状のバンド部収容凹溝３２が設けられている。加えて、第一壁部１８には、長手方向の両端部において長手方向に沿って延び出す平面視で略矩形状の固定片３４が設けられており、固定片３４の突出端部の幅方向の両端部には幅方向外方に向かって突出するテープ抜け止め突起３６が設けられている。かかる固定片３４により、プロテクタ１４の第一壁部１８に取り付けられたワイヤハーネス１２を結束テープ等により長手方向の両端部に結束固定することができるようになっている。なお、テープ抜け止め突起３６は結束テープ等の抜け止めのために設けられている。
【００２９】
このような構造とされたプロテクタ１４を用いて、プロテクタ付ワイヤハーネス１０を構成する方法について以下に説明する。先ず、図４に示されているように、ワイヤハーネス１２に対して、ワイヤハーネス１２を構成する図示しない複数の電線を結束する結束バンド１６を取り付ける。より詳細には、結束バンド１６は、図５に示されているように、ヘッド部３８と、ヘッド部３８の一方の端部４０より延出するバンド部４２とによって構成されており、合成樹脂材料によって一体成形されている。ヘッド部３８には、バンド部４２の延出方向に貫通するバンド挿通孔４４が設けられており、バンド挿通孔４４の底面には内方に突出する係止片４６が設けられている。また、バンド挿通孔４４の対向する側壁４８には、外面および延出方向に向かって開口する一対の溝状のスライド部５０，５０が設けられている。かかる一対のスライド部５０，５０は、プロテクタ１４の第一壁部１８に設けられた矩形溝部３０の一対の対向縁部５２，５２に対してスライド自在に嵌合されるようになっている（図１〜２参照）。一方、バンド部４２は、長方形断面の細長い平板形状を有し、湾曲変形可能とされている。また、バンド部４２には、厚さ方向の一方となる片面５４において、鋸歯状の係止突起５６が長手方向に多数並んで形成されている。そして、図４に示されているように、バンド部４２をワイヤハーネス１２に巻き付けた後に先端部をバンド挿通孔４４に挿し入れることにより、バンド部４２の係止突起５６に対してバンド挿通孔４４内の係止片４６が係止されるようになっている。ここで、係止突起５６が鋸歯形状とされていることにより、係止突起５６に対する係止片４６の係止作用が、バンド挿通孔４４からバンド部４２を引き抜く方向にだけ機能して、バンド部４２をワイヤハーネス１２に対して解除不能に締め付けて係止することができるようになっている。
【００３０】
次に、このようにしてワイヤハーネス１２に対して取り付けられた結束バンド１６に設けられた一対のスライド部５０，５０を、プロテクタ１４の第一壁部１８に設けられたスライド支持部２８の矩形溝部３０の一対の対向縁部５２，５２に対してスライド挿入されて係合されることにより、ワイヤハーネス１２がプロテクタ１４の第一壁部１８によって保持されるようになっている。より詳細には、図１に示されているように、２つのスライド支持部２８ａ，２８ｂに対して、２本のワイヤハーネス１２のそれぞれの結束バンド１６に設けられた一対のスライド部５０，５０がスライド挿入されて係合されていると共に、結束バンド１６のヘッド部３８から突出するバンド部４２の先端部がバンド部収容凹溝３２に沿って挿入されている。これにより、２本のワイヤハーネス１２がプロテクタ１４の第一壁部１８の幅方向で多段（本実施形態では２段）に配設保持することができるようになっている。なお、矩形溝部３０の一対の対向縁部５２，５２には、結束バンド１６のスライド部５０，５０が挿入される際に当接して弾性変形されると共に、スライド部５０，５０が通過した際に弾性復帰してスライド部５０，５０に係合することで結束バンド１６のヘッド部３８のスライド支持部２８からの抜け出しを阻止する抜け止め突起を適宜設けてもよい。最後に、このようにして構成されたプロテクタ付ワイヤハーネス１０のクリップ部２２を、図示しない車体の取付穴などに挿入して固定することにより、かかるプロテクタ付ワイヤハーネス１０を車両などの所定位置に配設できるようになっている。
【００３１】
このような構造とされたプロテクタ付ワイヤハーネス１０によれば、プロテクタ１４は、ワイヤハーネス１２の第一の径方向（図１中、ｚ軸方向）で第一壁部１８に対向する側（図１中、ｚ軸の正の方向側）と、第一の径方向と直交する第二の径方向（図１中、ｙ軸方向）の両側で、ワイヤハーネス１２が外部に露呈された構造とされている。それゆえ、従来の如きワイヤハーネスの三方向や四方向からワイヤハーネスを覆って経路規制を行うプロテクタに比して、必要最小限の構成（一方向）でワイヤハーネス１２の経路規制や保護を行うプロテクタ１４を提供することができることから、材料費の削減や低コスト化を図ることができるのである。しかも、プロテクタ１４は、ワイヤハーネス１２の第一の径方向の一方側と第二の径方向の両側で外部に露呈された構造とされていることから、径寸法の大きなワイヤハーネス１２であっても問題なく保持することができ、汎用性の向上を図ることができる。
【００３２】
また、プロテクタ１４の第一壁部１８には、長手方向で離隔した２箇所にスライド支持部２８ａ，２８ｂが設けられており、かかる２つのスライド支持部２８ａ，２８ｂの長さ寸法：ａ，ｂが相互に異ならされて構成されている。それゆえ、例えば、長さ寸法：ｂの大きいスライド支持部２８ｂに１つのワイヤハーネス１２に取り付けられた結束バンド１６の一対のスライド部５０，５０を係合させる一方、長さ寸法：ａの小さいスライド支持部２８ａに他のワイヤハーネス１２に取り付けられた結束バンド１６の一対のスライド部５０，５０を係合させることにより、図１に示されているように、２本のワイヤハーネス１２を第一壁部１８の幅方向で多段（本実施形態では２段）に配設保持することができ、一層の汎用性の向上を図ることができる。しかも、各ワイヤハーネス１２の結束バンド１６の一対のスライド部５０，５０が、それぞれプロテクタ１４の第一壁部１８に格別に設けられたスライド支持部２８ａ，２８ｂに組み付けられている。それゆえ、スライド支持部２８の耐久性や、スライド支持部２８による各ワイヤハーネス１２のスライド部５０の保持安定性、ひいてはプロテクタ１４による複数のワイヤハーネス１２の保持安定性を有利に確保することを可能としている。以上のことから、オプション的に後付けした機器用のワイヤハーネス１２を追加で収容したい場合にも、柔軟に対応することが可能となるのである。しかも、オプション機器用のワイヤハーネスに取り付けられた結束バンド１６の一対のスライド部５０，５０を、スライド支持部２８の開口から挿し入れてスライド支持部２８に係合させるだけで取り付けられることから、従来の蓋付プロテクタの場合のようにプロテクタの蓋を開ける必要がなく工数を削減できる。また、プロテクタ１４の第一壁部１８に形成されたスライド支持部２８に対して結束バンド１６に設けられたスライド部５０が係合されることにより、ワイヤハーネス１２が第一壁部７０によって保持されていることから、プロテクタ１４と結束バンド１６との固定に際し、従来のようなクランプを用いる必要が無い。それゆえ、ワイヤハーネス１２が保持されたプロテクタ１４の第一壁部７０の外側面から外方に向かって大きく突出する部分が生じることを抑制できる。
【００３３】
さらに、汎用部品である結束バンド１６のヘッド部３８に一対のスライド部５０，５０を設けると共にプロテクタ１４の第一壁部１８に切欠状の矩形溝部３０を設けるという簡単な構造によって、ワイヤハーネス１２の結束バンド１６側のスライド部５０とプロテクタ１４側のスライド支持部２８を容易に実現できることから、製造が容易で製造コストの削減を有利に図ることが可能となる。
【００３４】
加えて、第一壁部１８には、矩形溝部３０の底縁部に連接して第一壁部１８の幅方向他方の端部２６に向かって延びるバンド部収容凹溝３２が設けられていることから、ワイヤハーネス１２に巻き付けられた結束バンド１６のヘッド部３８から突出するバンド部４２の先端部をバンド部収容凹溝３２に沿って挿入することができる。それゆえ、ヘッド部３８から突出するバンド部４２の先端部が第一壁部１８と干渉することにより、スライド部５０にスライド支持部２８から抜け出す方向の力が加わることを防止して、結束バンド１６のヘッド部３８をより一層安定して矩形溝部３０内に収容保持することができるようになっている。
【００３５】
なお、本実施形態では、プロテクタ１４に対するワイヤハーネス１２の取り付けを、結束バンド１６等の結束部材を用いて行っている。このような結束部材の取り付け位置は、ワイヤハーネス１２の端末に設けられた図示しないコネクタからの長さ位置などをワイヤハーネス１２の結束用図板上で正確に位置合わせされたものである。それゆえ、プロテクタ１４の所定位置にスライド支持部２８を設けるだけで、ワイヤハーネス１２に対するプロテクタ１４の位置決めや、プロテクタ１４から突出するワイヤハーネス１２の寸法の保証等を行うことができることから、製造工程の簡素化やプロテクタ付ワイヤハーネス１０の寸法精度の向上等を有利に図ることができるようになっているのである。
【００３６】
次に、図６〜７を用いて、本発明の第二の実施形態としてのプロテクタ付ワイヤハーネス５８について詳述するが、上記実施形態と同様な構造とされた部材および部位については、図中に、上記実施形態と同一の符号を付することにより、それらの詳細な説明を省略する。かかるプロテクタ付ワイヤハーネス５８は、プロテクタ６０の第一壁部６２の幅方向他方の端部２６から、長手方向に直交する方向に延出する第二壁部６４が設けられている点に関して、上記第一の実施形態と異なる実施形態を示すものである。これにより、プロテクタ６０の第一壁部６２に支持されたワイヤハーネス１２を、第二壁部６４により下方から支持したりカバーしたりすることが可能となることから、ワイヤハーネス１２の安定した経路規制や、第一壁部６２および第二壁部６４による２方向からの保護を実現することが可能とできる。
【００３７】
また、本実施形態のプロテクタ付ワイヤハーネス５８では、上記実施形態のプロテクタ１４に比して、プロテクタ６０の第一壁部６２に新たに長さ寸法：ａの小さいスライド支持部２８ａが１箇所追加されている。ここで、スライド支持部２８ａ（２８）が第一壁部１８の幅方向一方の端部２４に開口する切欠状とされていることから、第一壁部６２の板厚方向の両面側にワイヤハーネス１２を保持することが可能となっている。それゆえ、上記実施形態において２本のワイヤハーネス１２が第一壁部１８の幅方向で多段（本実施形態では２段）に配設保持されていたことに加えて、本実施形態のプロテクタ付ワイヤハーネス５８では、プロテクタ６０の第一壁部６２の裏面２０にもワイヤハーネス１２を配設保持することができる。これにより、配索自由度の向上やさらなる汎用性の向上を図ることができるのである。
【００３８】
本実施形態においても、第一の実施形態と同様に、プロテクタ６０は、ワイヤハーネス１２の第一の径方向（図６〜７中、ｚ軸方向）で第一壁部６２に対向する側（図６〜７中、ｚ軸の正の方向側）と、第一の径方向と直交する第二の径方向（図６〜７中、ｙ軸方向）で第二壁部６４に対向する側（図６〜７中、ｙ軸の正の方向側）で、ワイヤハーネス１２が外部に露呈された構造とされている。それゆえ、従来の如きワイヤハーネスの三方向や四方向からワイヤハーネスを覆って経路規制を行うプロテクタに比して、二方向からワイヤハーネス１２の経路規制や保護を行うプロテクタ６０を提供することができることから、材料費の削減や低コスト化を図ることができる。しかも、プロテクタ６０は、ワイヤハーネス１２の第一の径方向の一方側と第二の径方向の一方側で外部に露呈された構造とされていることから、径寸法の大きなワイヤハーネス１２であっても問題なく保持することができ、汎用性の向上を図ることができるようになっている。
【００３９】
続いて、図８〜９を用いて、本発明の第三の実施形態としてのプロテクタ付ワイヤハーネス６６について詳述するが、上記実施形態と同様な構造とされた部材および部位については、図中に、上記実施形態と同一の符号を付することにより、それらの詳細な説明を省略する。かかるプロテクタ付ワイヤハーネス６６は、プロテクタ６８の第二壁部７０が第一壁部７２のない領域まで延長する延長部７４を含んでいる点に関して、上記第二の実施形態と異なる実施形態を示すものである。より詳細には、かかる延長部７４にはスライド支持部２８が設けられており、スライド支持部２８に対してワイヤハーネス１２の他の部位において結束固定された結束バンド１６のスライド部５０が組み付けられるようになっている。本態様によれば、第二壁部７０が第一壁部７２のない領域まで延長する延長部７４を含んでいることから、ワイヤハーネス１２の経路規制を延長部７４を利用してより安定して行うことができる。しかも、延長部７４にもスライド支持部２８が設けられてワイヤハーネス１２の別の部位に設けられた結束バンド１６のスライド部５０が組み付けられるようになっていることから、一層安定したワイヤハーネス１２の経路規制が、第一壁部７２と第二壁部７０という少ない壁部から構成されるプロテクタ６８によっても安定して行うことができ、材料削減による低コスト化と、プロテクタ機能の向上の両立を有利に図ることができるようになっている。しかも、プロテクタは、ワイヤハーネス１２の第一の径方向の一方側と第二の径方向の一方側で外部に露呈された構造とされていることから、径寸法の大きなワイヤハーネス１２であっても問題なく保持することができ、汎用性の向上を図ることができるようになっている。
【００４０】
以上、本発明の実施形態について説明してきたが、かかる実施形態における具体的な記載によって、本発明は、何等限定されるものでない。上記第一の実施形態では、プロテクタ１４の第一壁部１８には２箇所にスライド支持部２８ａ，２８ｂが設けられていたが、図１０〜１１に示されている第四の実施形態としてのプロテクタ付ワイヤハーネス７６のように、プロテクタ７８の第一壁部８０には１箇所にだけスライド支持部２８が設けられていてもよい。本実施形態においても、プロテクタ７８は、ワイヤハーネス１２の第一の径方向の一方側と第二の径方向の両側で外部に露呈された構造とされていることから、図１０（ａ）（ｂ）に示されているように、径寸法の大きなワイヤハーネス１２であっても問題なく保持することができ、汎用性の向上を図ることができる。しかも、２本のワイヤハーネス１２に取り付けられた結束バンド１６の一対のスライド部５０，５０を１箇所のスライド支持部２８に対して順次スライド挿入して係合させることにより、図１０（ｃ）に示されているように、上記第一の実施形態と同様に、２本のワイヤハーネス１２を第一壁部８０の幅方向で多段（本実施形態では２段）に配設保持することができるようになっていることから、一層の汎用性の向上を図ることができるのである。
【００４１】
また、上記第三の実施形態では、第二壁部７０にスライド支持部２８が設けられていなかったが、スライド支持部２８が設けられていてもよい。これにより、第一壁部７２と第二壁部７０に設けられたスライド支持部２８に対して、ワイヤハーネスの２箇所に結束された結束バンド１６のスライド部５０をそれぞれスライド嵌合して係合することが可能となることから、第一壁部７２と第二壁部７０により直交する二方向からワイヤハーネス１２を一層安定的に保持することが可能とできる。
【００４２】
なお、本実施形態においては、バンド部収容凹溝３２が設けられていたが、なくてもよい。また、プロテクタ１４，６０，６８，７８に設けられるスライド支持部２８の長さ寸法や個数は任意に設定可能である。さらに、スライド支持部２８の具体的形状は例示の切欠状の矩形溝部３０に限定されず、スライド部５０の具体的形状も例示の凹溝状のものに限定されない。例えば、スライド支持部２８をプロテクタ１４，６０，６８，７８の表裏面から外部に向かって逆Ｌ字断面形状で突設された一対の挿入ガイド突起や、Ｔ字断面形状で延出するガイド突起などによって構成する一方、スライド部５０をそれらに係合する凸部や凹部によって構成することもできる。
【符号の説明】
【００４３】
１０，５８，６６，７６：プロテクタ付ワイヤハーネス、１２：ワイヤハーネス、１４，６０，６８，７８：プロテクタ、１６：結束バンド（結束部材）、１８，６２，７２，８０：第一壁部、２４：一方の端部、２６：他方の端部、２８，２８ａ〜ｂ：スライド支持部、３０：矩形溝部、３２：バンド部収容凹溝、３８：ヘッド部、４０：一方の端部、４２：バンド部、４４：バンド挿通孔、４８：側壁、５０：スライド部、５２：対向縁部、６４，７０：第二壁部、７４：延長部
【図１】
2017135813.tif 000003
【図２】
2017135813.tif 000004
【図３】
2017135813.tif 000005
【図４】
2017135813.tif 000006
【図５】
2017135813.tif 000007
【図６】
2017135813.tif 000008
【図７】
2017135813.tif 000009
【図８】
2017135813.tif 000010
【図９】
2017135813.tif 000011
【図１０】
2017135813.tif 000012
【図１１】
2017135813.tif 000013